(57)【要約】      （修正有）【課題】効率良く煤を吸着させることができ、また、メンテナンスを行い易い場所に設置することが可能で設置費用や維持費を抑えることができる煤除去装置を提供する。【解決手段】吸入した煙に含まれる煤を吸着させる三次元網目状構造のニッケルフィルタ２３と、ニッケルフィルタ２３を内装し、加熱調理装置（石窯５）により発生した煙を吸入する煙吸入部１１、ニッケルフィルタ２３の脱着を行う扉１４、および、ニッケルフィルタ２３を通過した煙を排出する煙排出部１２、を有する本体と、煙排出部に接続され、ニッケルフィルタ２３に煤が吸着する風速で煙を通過させる風量調整部（排風機７、ＦＶＤ２１）と、を備える。【選択図】図１
0003169305.tif 000002
【実用新案登録請求の範囲】
【請求項１】
吸入した煙に含まれる煤を吸着させる三次元網目状構造のニッケルフィルタと、
前記ニッケルフィルタに前記煤が吸着する風速で前記煙を通過させる風量調整部と、
前記ニッケルフィルタを内装し、
加熱調理装置により発生した煙を吸入する煙吸入部、前記ニッケルフィルタの脱着を行う扉、および、前記ニッケルフィルタを通過した煙を排出する煙排出部、
を有する本体と、
を備えることを特徴とする煤除去装置。
【請求項２】
前記煙の移動経路上に複数の前記ニッケルフィルタを配設したことを特徴とする請求項１に記載の煤除去装置。
【請求項３】
前記風量調整部は、前記ニッケルフィルタを通過する前記煙の風速を０．３ｍ／ｓｅｃ．に調整することを特徴とする請求項１または２に記載の煤除去装置。
【請求項４】
前記ニッケルフィルタを通過した煙に外気を混合し、該煙の温度を低下させる外気導入部をさらに備えることを特徴とする請求項１から３のいずれか１項に記載の煙除去装置。
【請求項５】
前記本体は、
前記煙吸入部と前記煙排出部とを上端面に備え、
前記上端面の下方であって前記煙吸入部と前記煙排出部との間に前記ニッケルフィルタを配設し、
前記煙吸入部から吸入した煙が該本体の内壁の一の傾斜面に沿って下降して前記ニッケルフィルタを通過し、前記ニッケルフィルタを通過した煙が該本体の内壁の他の傾斜面に沿って上昇して前記煙排出部から排出されるように形成されている、
ことを特徴とする請求項１から４のいずれか１項に記載の煤除去装置。
【考案の詳細な説明】
【技術分野】
【０００１】
本考案は、薪等を燃焼させた際に発生する煤を除去する煤除去装置に関する。
【背景技術】
【０００２】
薪等を燃焼させて調理を行う石窯は、一般的には石窯の上側部分に煙突を設け、この煙突において、石窯の熱が伝導して高温となっている部位と屋外へ露出して低温となっている部位との差熱によって発生する上昇気流を用いて煙の排気を行っている。
上記のように自然対流を用いた排煙の他に、石窯から延設された煙導管の終端に排風機を配置して煙を吸い出すものやサイクロン方式の吸引装置を用いたものがある。このように排風機などを使用する場合には、排煙によってファンなどの機構部分や排煙経路に付着もしくは蓄積する汚れを抑制するために、煙導管の途中、あるいは煙の発生源近くにフィルタを備えて排煙に含まれる煤塵や油脂の除去を行っている。
【０００３】
特に、石窯などは高温の煙を発生するため、排煙を行う場合には金属製のメッシュフィルタなどが用いられており、例えば、特開２００９−２９７３９１号公報に記載された加熱調理器は、グリル庫の発熱手段の上方に排気ダクトを備え、このグリル庫天板の中央即ち排気ダクトの吸入口に除煙フィルタを設置している。この除煙フィルタは、白金触媒から成るもので高温の煙によって熱せられることにより、フィルタリング効果が得られるように構成されている。
また、石窯などの加熱調理装置には、加熱時に生じた煙を水中に導いて油脂などを除去するアクアフィルタなども用いられている。
【先行技術文献】
【特許文献】
【０００４】
【特許文献１】特願２００９−２９７３９１号公報
【考案の概要】
【考案が解決しようとする課題】
【０００５】
薪などが燃焼する場合には様々な大きさの煤が発生し、粒子状のものから指でつかめる大きさのものまでが煙に含まれる。また、比較的大きな煤は、高温の煙が対流などによって移動する際にちぎれる場合もあり、排煙の途中で大きさや形状が変化する。
そのため、煤をろ過するメッシュフィルタの網目を小さくして粒子状の煤を吸着させようとした場合には、大きなサイズの煤が吸着することにより簡単に目詰まりを起こしてしまう。また、このような大きな煤による目詰まりを避けるため、メッシュフィルタの網目を大きくすると、粒子状の煤を吸着させることが不可能になるという問題点があった。
【０００６】
また、アクアフィルタは、煙を水中へ通すために水槽の底部等に煙導管を接続する構成が必須になり、排煙効率を悪化させないためには水槽を含むアクアフィルタ本体を高所に設置することが好ましい。またさらに、フィルタリングによって汚れた水槽内の水を頻繁に交換する必要があるため、給排水管を敷設することが可能な場所を確保しなければならず、設置費用も高くなるという問題点があった。
【０００７】
本考案は上記のような問題点を解決するためになされたものであり、効率良く煤を吸着させることができ、また、メンテナンスを行い易い場所に設置することが可能で設置費用や維持費を抑えることができる煤除去装置を提供することを目的とする。
【課題を解決するための手段】
【０００８】
本考案に係る煤除去装置は、吸入した煙に含まれる煤を吸着させる三次元網目状構造のニッケルフィルタと、前記ニッケルフィルタに前記煤が吸着する風速で前記煙を通過させる風量調整部と、前記ニッケルフィルタを内装し、加熱調理装置により発生した煙を吸入する煙吸入部、前記ニッケルフィルタの脱着を行う扉、および、前記ニッケルフィルタを通過した煙を排出する煙排出部、を有する本体と、を備えることを特徴とする。
【０００９】
また、前記煙の移動経路上に複数の前記ニッケルフィルタを配設したことを特徴とする。
【００１０】
また、前記風量調整部は、前記ニッケルフィルタを通過する前記煙の風速を０．３ｍ／ｓｅｃ．に調整することを特徴とする。
【００１１】
また、前記ニッケルフィルタを通過した煙に外気を混合し、該煙の温度を低下させる外気導入部をさらに備えることを特徴とする。
【００１２】
また、前記本体は、前記煙吸入部と前記煙排出部とを上端面に備え、前記上端面の下方であって前記煙吸入部と前記煙排出部との間に前記ニッケルフィルタを配設し、前記煙吸入部から吸入した煙が該本体の内壁の一の傾斜面に沿って下降して前記ニッケルフィルタを通過し、前記ニッケルフィルタを通過した煙が該本体の内壁の他の傾斜面に沿って上昇して前記煙排出部から排出されるように形成されている、ことを特徴とする。
【考案の効果】
【００１３】
本考案によれば、煤を含む煙が、所定の風速で３次元網目状構造のニッケルフィルタを通過するようにしたので、煤の粉砕を抑えて効率良くフィルタ面に吸着させることができる。また、ニッケルフィルタに付着した煤を容易に洗い落すことが可能なことから、フィルタリング性能を容易に維持することができる。
【図面の簡単な説明】
【００１４】
【図１】本考案による煤除去装置の概略構成図である。
【図２】本実施例の煤除去装置の斜視図である。
【図３】本実施例の煤除去装置の外観を示した説明図である。
【考案を実施するための形態】
【００１５】
以下、この考案の実施の一形態を図に基づいて説明する。
【実施例】
【００１６】
図１は、本考案による煤除去装置の概略構成図である。この図は、石窯５で薪を燃焼させたときに発生する煙を屋外へ排気する経路に、煤除去装置１を備えた場合の配置例を示しており、煤除去装置１、煙導管２，３、石窯５、外壁６、天井８等の部分断面を示している。
【００１７】
本考案による煤除去装置１は、煙吸入部１１に煙導管２の一端が接続され、煙排出部１２に煙導管３の一端が接続される。
煙導管２は、例えば２００φの内径を有し、その他端が石窯５の上側部位に設けられた煙導口に接続されている。なお、石窯５の煙導口と煙導管２との接続部位には、チャンバーボックス４が被せられる。
【００１８】
煙導管３は、例えば２５０φの内径を有し、その他端が屋内と屋外とを仕切る外壁６に設けられた排気孔を介して排風機７に接続されている。
煙導管２，３は、外壁６の内部即ち屋内において配管されており、天井８の上方、即ち天井裏を用いて配管されている。なお、煙導管３は、外気を混合した煙を排出するときに適当な風量が得られるように、煙導管２に比べて管径が大きくなっている。
また、煤除去装置１と接続する煙導管２，３の各一端、および、石窯５に接続する煙導管２の他端は、天井８の下方に延設されて前述のように各部と接続されており、外壁６の内部即ち屋内に煙が漏れないように設置されている。
【００１９】
加熱調理装置の一例である石窯５は、薪などを燃焼させる窯内部の上側部位に排気口５ａが設けられている。また石窯５は、排気口５ａから延設され、煙導管２に繋がる排気孔５ｂが設けられている。
排風機７は、外壁６の外側即ち屋外に設置されており、煙導管３の管内から煙を吸引して屋外へ排気するように設けられた例えばシロッコファンである。
【００２０】
煤除去装置１は、煙吸入部１１に防火ダンパー（以下、ＦＤと記載する）２０が接続されている。このＦＤ２０は、煙導管２と煤除去装置１との間に配設されており、予め設定された温度よりも高温になると、当該温度に感応する図示を省略したリミッターを備えている。ＦＤ２０は、煤除去装置１の内部において煤などが燃え上がった場合には、上記のリミッターの感応により図示を省略した自身のダンパーを閉じて、煙吸入部１１を封鎖して他の部分への類焼を防ぐように構成されている。
また、ＦＤ２０は、煙導管２の管内を移動してきた煙が所定の温度を超えた場合に、この高温の煙に感応して上記のダンパーを閉鎖させ、煤除去装置１の内部において吸着させた煤などが燃え上がることを防ぐように構成されたものであってもよい。
【００２１】
煤除去装置１は、煙排出部１２に風量調整兼用ダンパー（以下、ＦＶＤと記載する）２１が接続されている。ＦＶＤ２１は、煙導管３と煤除去装置１との間に配設されており、煤除去装置１の内部が燃える事態になったとき、他の部分へ類焼することを防ぐために図示を省略した自身のダンパーを閉じて煙排出部１２を封鎖し、煤除去装置１と煙導管３との間を遮断するように構成されている。このＦＶＤ２１は、上記のダンパーの開閉度合によって自身を通過する煙の移動速度、即ち、煙導管３へ排出される煙の風量を予め設定されている風量に調整する機構を備えている。
【００２２】
煙排出部１２の下方となる煤除去装置１の下部には、外気導入を行う外気導入口が設けられている。この外気導入口は、例えば１５０φの口径を有し、煤除去装置１から排気される煙に混合する外気の量を調整するＦＶＤ２２が備えられている。なお、このＦＶＤ２２も、上記のＦＶＤ２１と同様に煤除去装置１の内部で火災が発生したときには自身のダンパーを閉じて他の部分への類焼を防ぐように構成されている。
【００２３】
煤除去装置１は、上記のＦＤ２０、ＦＶＤ２１、ＦＶＤ２２が火災などの異常事態に感応してダンパーを閉じたとき、アラートを表示するアラーム部２４を備えている。アラーム部２４は、例えば、ブザーやランプなどから成り、煤除去装置１を正面視したときに視認し易い位置に配設され、例えば、煙導管２，３との接続部分の近傍に備えられている。
煤除去装置１は、図中破線で示したニッケルフィルタ２３を内部に備えている。なお、ここで例示する煤除去装置１は、４つのニッケルフィルタ２３を内装するように構成されている。
【００２４】
煤除去装置１の正面には、当該煤除去装置１に内装されるニッケルフィルタ２３の出し入れを行う扉１４が設けられている。
また、煤除去装置１は、ニッケルフィルタ２３の下方となる部位に、煙をフィルタリングした際にニッケルフィルタ２３から滴下した油脂などを当該装置の外部へ排出するドレインコック２５を備えている。
【００２５】
図２は、本実施例の煤除去装置の斜視図である。また図３は、本実施例の煤除去装置の外観を示した説明図である。図３（ａ）は、煤除去装置を正面視した場合の外観を示し、図３（ｂ）は、煤除去装置１を上方から視た場合の外観を示し、図３（ｃ）は、煤除去装置１を側方視した場合の外観を示している。
煤除去装置１の本体１０は、例えば、ステンレス鋼のＳＵＳ４３０  １．２ｔを用いて構成されている。また、本体１０に設けられている扉１４も、ＳＵＳ４３０  １．２ｔのステンレス鋼を用いて構成されたものである。
煤除去装置１は、本体１０の上端面１３に前述の煙吸入部１１および煙排出部１２を備えており、図３（ａ）に示したように、本体１０を正面視したとき、例えば、煙吸入部１１は上端面１３の左側に配設され、煙排出部１２は上端面１３の右側に配設されている。
【００２６】
煙吸入部１１および煙排出部１２は、それぞれ上端面１３から上方へ突出する円筒状に形成されており、例えば、煙吸入部１１は、図１に示したようにＦＤ２０とともに煙導管２の管内に挿入される外径を有し、煙排出部１２は、ＦＶＤ２１とともに煙導管３の管内に挿入される外径を有している。
煤除去装置１は、図１、図２、図３（ａ）に示したように２つのニッケルフィルタ２３を本体１０の鉛直方向に２段となるように配置し、さらに煙の移動方向上に２つのニッケルフィルタ２３を配置し、計４つのニッケルフィルタ２３を本体１０に内装している。
【００２７】
ニッケルフィルタ２３は、例えば、ポリウレタンフォームを空隙率が９４％の三次元網目状構造に形成し、これにニッケルメッキを施したものである。この実施例の煤除去装置１に内装されるニッケルフィルタ２３は、例えば、５００[ｍｍ]×５００[ｍｍ]×２７[ｍｍ]の外寸を有する。
煤除去装置１の本体１０は、上記の外寸のニッケルフィルタ２３を前述のように２段重ねとし、また煙の移動方向に対して２枚重ねとなるように配置して内部に支持している。詳しくは、図３（ａ）に示したように、煙吸入部１１と煙排出部１２との間の下方に配置され、煙吸入部１１から煙排出部１２へ移動する煙の経路上に、２つのニッケルフィルタ２３が重なるように並べられている。また、図３（ｃ）に示したように、本体１０の鉛直方向に２つのニッケルフィルタ２３を配設し、計４つのニッケルフィルタ２３を本体１０に内装している。このニッケルフィルタ２３は、本体１０の内部において底端部１３の平面上に立設されるように支持されている。
【００２８】
また、ニッケルフィルタ２３は、図示を省略した支持機構部により、本体１０への挿入ならびに取り外しを自在に行うことができるように支持されている。
なお、ここでは計４つのニッケルフィルタ２３を配設しているが、本体１０の鉛直方向に配設されるフィルタ数、および、煙の移動経路上に配設されるフィルタ数は、各々上記の数量に限定されない。
【００２９】
扉１４は、例えば、図示を省略したヒンジ等により開閉自在に本体１０へ取り付けられており、図３（ｂ）に示した開状態において、４つのニッケルフィルタ２３を挿入または取り出し可能に構成されている。好ましくは、各々のニッケルフィルタ２３を個別に挿入または取り出し可能な形状寸法で構成されている。
本体１０は、図３（ａ）に示したように、扉１４の下方の底端部１５が水平に形成され、図中、底端部１５の各側方に配される側面１６，１７が傾斜し、本体１０の下端部分が絞り込まれた形状となっている。側面１６は煙吸入口１１の下方に配設され、側面１７は煙排出口１２の下方に配設されており、本体１０の内部においても同様な傾斜面となっている。
【００３０】
次に動作について説明する。
石窯５を加熱するために、当該石窯５の窯内部に薪などを入れて燃焼させるときには、屋外に設置されている排風機７を稼働させる。排風機７は、煙導管３、煤除去装置１、および煙導管２の内部を吸引する。好ましくは、石窯５の排気孔５ｂの内部なども含めて吸引する。
石窯５の窯内部において薪を燃焼させると、発生した煙は、燃焼等の熱によって発生した対流により上昇し、石窯５の排気口５ａへ吸引される。このとき、煙に含まれる煤なども排気口５ａから排気孔５ｂへ吸引され、チャンバー４を介して煙導管２へ進行する。
【００３１】
煙導管２の管内の煙は、鉛直方向へ下降してＦＤ２０を介して煙吸入口１１から煤除去装置１へ吸入される。煙吸入部１１から吸入された煙は、本体１０の内部において下方へ移動して側面１６に当たり、この側面１６の傾斜に導かれて徐々に煙排出部１２が設けられている側へ移動方向を変え、ニッケルフィルタ２３を通過する。ニッケルフィルタ２３を通過した煙は本体１０の内部を上昇し、煙排出口１２から排出され、煙導管３の管内へ進行する。
【００３２】
換言すると、石窯５において発生した煙は、図３（ａ）に示した煙吸入口１１から図中下方へ進行し、即ち、本体１０の内壁に沿って鉛直に下方へ進行して側面１６に当たる。この煙は、側面１６の内部側の面、即ち本体１０の内壁を成す傾斜面１６ａに沿って図中右側へ向きを変え、ニッケルフィルタ２３を通過する。ニッケルフィルタ２３を通過した煙は、図中右側の側面１７の内部側の面、即ち本体１０の内壁を成す傾斜面１７ａに沿って本体１０の上方へ向きを変え、上端面１３に向かって上昇して煙排出口１２から排出される。
【００３３】
上記のように本体１０の内部を進行する煙は、ニッケルフィルタ２３を通過する際に、当該煙に含まれている煤がニッケルフィルタ２３に吸着し、煙排出口１２へ向かって上昇するときには煤が除去されたものとなる。
ここで、ニッケルフィルタ２３によって煙に含まれている煤をフィルタリングするとき、０．３[ｍ／ｓｅｃ．]のフィルタ面通過風速で煙を通過させる。好ましくは、０．３[ｍ／ｓｅｃ．]以下の風速で通過させる。概ねこのような風速であれば、煤が微細な粒子に粉砕されることが抑制され、比較的大きなサイズの煤をフィルタ面に吸着させることができる。また、微細な煤をも３次元網目状構造のフィルタ部分に吸着させることが可能で、有効に煤を除去することができる。
【００３４】
上記のニッケルフィルタ２３を通過する煙の風速は、排風機７およびＦＶＤ２１によって定められる。排風機７の排気能力は、少なくとも煙導管３を介して本体１０に内装されるニッケルフィルタ２３の吸入側の煙を吸引することが可能なものであり、概ね上記のようなフィルタ面通過風量が得られるように煙を吸引する。このように排風機７が稼働しているとき、ＦＶＤ２１は、予め設定されている風量でニッケルフィルタ２３を通過した煙が煙排出口１２から排出されるように自身のダンパーの開度を調整する。換言すると、本体１０から煙導管３へ排出される煙の風量を調整して、ニッケルフィルタ２３を通過する煙の風速を所定の値、即ち０．３[ｍ／ｓｅｃ．]となるように制御する。
【００３５】
ニッケルフィルタ２３を通過して煤が除去された煙には、傾斜面１０３に配設されているＦＶＤ２２から本体１０の内部へ導入された外気を混合し、当該煙の温度を低下させて排気温度を安全なものとして排風機７から排気する。
石窯５において薪を燃焼させた場合に発生した煙を、煙導管２を介して煤除去装置１へ導いた場合、煤除去装置１へ達した煙の温度は約６５[℃]〜７０[℃]になる。このような温度の煙にＦＶＤ２２から本体１０の内部へ導入した外気を混合し、煙導管３へ排出される煙の温度を４０[℃]程度まで冷却する。
例えば、ニッケルフィルタ２３の有効フィルタ面積が０．４０５[ｍ2]の場合には、フィルタ面通過風量が０．４０５×０．３×３６００＝４３７．４[ＣＭＨ]となるように排風機７を稼働させて煙を移動させる。また、煙をこのような風量でニッケルフィルタ２３へ通過させたとき、ＦＶＤ２２からの外気を混合して温度を低下させると、煙導管３を介して排風機７から排出される総排気風量は２０００〜２４００[ＣＭＨ]になる。
【００３６】
本実施例の煤除去装置１は、煙を０．３[ｍ／ｓｅｃ．]、もしくはそれ以下の通過風速で３次元網目状金属多孔体のニッケルフィルタ２３に通過させることにより、煙に含まれる様々な形状寸法の煤を当該ニッケルフィルタ２３に効率よく吸着させることができる。また、上記のように遅い風速でニッケルフィルタ２３を通過させるので、煤が粒子状に粉砕されることを抑えてフィルタリングすることができ、煙から高い効率で煤を除去することができる。
また、煤除去装置１は、本体１０の内部の煙の移動経路上にニッケルフィルタ２３を２重に配設し、煤を含む煙が２つのニッケルフィルタ２３を通過するように構成したので、より多くの煤を除去することができる。
【００３７】
また、煙吸入口１１と煙排出口１２とを本体１０の上端面１３に設け、これらの下方にニッケルフィルタ２３を配置するように本体１０を形成したので、本体１０の外寸をコンパクトにまとめることができる。即ち、煤除去装置１の取り付けスペースを抑制することができ、メンテナンスが容易な場所に煤除去装置１を設置することが可能になる。
またさらに、メンテナンスを容易に行うことのできる場所に煤除去装置１を設置することにより、煤が付着したニッケルフィルタ２３を本体１０から取り外して洗浄することが容易になる。ニッケルフィルタ２３に付着した煤は、水などによって比較的容易に洗い流すことができるため、例えば石窯５で薪を燃焼させるたびにニッケルフィルタ２３を洗浄することにより、ニッケルフィルタ２３のフィルタリング性能の劣化を防いで効率の良い煤の除去を維持することができる。
【符号の説明】
【００３８】
１煤除去装置
２，３煙導管
４チャンバーボックス
５石窯
５ａ排気口
５ｂ排気孔
６外壁
７排風機
８天井
１０本体
１１煙吸入部
１２煙排出部
１３上端面
１４扉
１５底端部
１６，１７側面
１６ａ，１７ａ傾斜面
２０防火ダンパー（ＦＤ）
２１風量調整兼用ダンパー（ＦＶＤ）
２２風量調整兼用ダンパー（ＦＶＤ）
２３ニッケルフィルタ
２４アラーム部
２５ドレインコック
【図１】
0003169305.tif 000003
【図２】
0003169305.tif 000004
【図３】
0003169305.tif 000005
【手続補正書】
【提出日】平成23年5月25日(2011.5.25)
【手続補正１】
【補正対象書類名】明細書
【補正対象項目名】０００８
【補正方法】変更
【補正の内容】
【０００８】
本考案に係る煤除去装置は、煙に含まれる煤を吸着させる三次元網目状構造のニッケルフィルタと、前記ニッケルフィルタを内装し、加熱調理装置により発生した煙を吸入する煙吸入部、前記煙吸入部から移動して前記ニッケルフィルタを通過した煙を排出する煙排出部、および、前記煙吸入部と前記煙排出部との間に配設された前記ニッケルフィルタの出し入れを行うための扉、を有する本体と、前記煙排出部に接続され、該煙排出部から排出される煙の風量を調整して前記煤が前記ニッケルフィルタに吸着する風速で前記煙を移動させる風量調整部と、を備えることを特徴とする。
【手続補正２】
【補正対象書類名】実用新案登録請求の範囲
【補正対象項目名】全文
【補正方法】変更
【補正の内容】
【実用新案登録請求の範囲】
【請求項１】
煙に含まれる煤を吸着させる三次元網目状構造のニッケルフィルタと、
前記ニッケルフィルタを内装し、
加熱調理装置により発生した煙を吸入する煙吸入部、前記煙吸入部から移動して前記ニッケルフィルタを通過した煙を排出する煙排出部、および、前記煙吸入部と前記煙排出部との間に配設された前記ニッケルフィルタの出し入れを行うための扉、
を有する本体と、
前記煙排出部に接続され、該煙排出部から排出される煙の風量を調整して前記煤が前記ニッケルフィルタに吸着する風速で前記煙を移動させる風量調整部と、
を備えることを特徴とする煤除去装置。
【請求項２】
前記煙の移動経路上に複数の前記ニッケルフィルタを配設したことを特徴とする請求項１に記載の煤除去装置。
【請求項３】
前記風量調整部は、前記ニッケルフィルタを通過する前記煙の風速を０．３ｍ／ｓｅｃ．に調整することを特徴とする請求項１または２に記載の煤除去装置。
【請求項４】
前記ニッケルフィルタを通過した煙に外気を混合し、該煙の温度を低下させる外気導入部をさらに備えることを特徴とする請求項１から３のいずれか１項に記載の煤除去装置。
【請求項５】
前記本体は、
前記煙吸入部と前記煙排出部とを上端面に備え、
前記上端面の下方に前記ニッケルフィルタを配設し、
前記煙吸入部から吸入した煙が該本体の内壁の一の傾斜面に沿って下降して前記ニッケルフィルタを通過し、前記ニッケルフィルタを通過した煙が該本体の内壁の他の傾斜面に沿って上昇して前記煙排出部から排出されるように形成されている、
ことを特徴とする請求項１から４のいずれか１項に記載の煤除去装置。